(57)【要約】【課題】コンクリート製の陸屋根等の屋根基体の新設時に、その上に板状屋根葺材を葺き重ねる工法に用いる為の取付用金具を提供する。【解決手段】屋根基体を貫通させ得る長さを有して、屋根基体に穿ったボルト孔にその下端側から挿通させる螺桿の下端に、ボルト孔の周縁部に於いて屋根基体の下面に当接させる為の、適宜の形状と大きさを有する当板を取付けたことを特徴とする。そして、螺桿を、ボルト孔に上向きに挿通させ終えた後も、この挿通状態を保たせる為の抜止手段を付属させたことも特徴とする。抜止手段として、螺桿とボルト孔の内周面との間に摩擦係合力を生じさせる為の突起部を設けたり、螺桿に、弾性環状体を緊密に外嵌させる等してもよい。当板は、陸屋根を構成するキーストンプレート上に溶接又は接着してもよい。【選択図】　　　図２
0003097691.tif 000002
【実用新案登録請求の範囲】
【請求項１】
コンクリート製陸屋根等の屋根基体の上面に葺き重ねる、波板等の板状屋根葺材を、この上面に固定させる為に用いるものであって、
前記屋根基体を貫通させ得る長さを有して、屋根基体に穿ったボルト孔にその下端側から挿通させる螺桿と、
該螺桿の下端に取付けられて、ボルト孔の周縁部に於いて、屋根基体の下面に当接させる為の、方形、円形その他の適宜の形状と大きさを有する当板とを備えることを特徴とする板状屋根葺材の取付用金具。
【請求項２】
螺桿を、ボルト孔に上向きに挿通させ終えた後も、この挿通状態を保たせる為の、抜止手段を付属させたことを特徴とする請求項１記載の板状屋根葺材の取付用金具。
【請求項３】
抜止手段は、螺桿の外周面に突設されて、螺桿とボルト孔の内周面との間に摩擦係合力を生じさせる、小突起、縦向き突条、雄ねじ等の突起部であることを特徴とする請求項２記載の板状屋根葺材の取付用金具。
【請求項４】
抜止手段は、螺桿に緊密に外嵌させる為の、弾性材製で短チューブ状乃至はリング状の弾性環状体から成り、外嵌状態での外径がボルト孔の孔径より幾分大きくなる様にしたことを特徴とする請求項２記載の板状屋根葺材の取付用金具。
【請求項５】
抜止手段は、螺桿の外周面の適宜の箇所にリング状又は点綴状に設けた、弾性に富むコーキング材の類の塗布部であることを特徴とする請求項２記載の板状屋根葺材の取付用金具。
【請求項６】
抜止手段は、螺桿１の上部に螺合させることにより、当板との間で屋根基体を挟み付けるナットであることを特徴とする請求項２記載の板状屋根葺材の取付用金具。
【請求項７】
キーストンプレートの上面にコンクリート層を打設して形成させた屋根基体の上に葺き重ねる、波板等の板状屋根葺材を、屋根基体に固定させる為に用いるものであって、
屋根基体を貫通させ得る長さの螺桿と、
該螺桿の下端に取付けられて、この螺桿を縦向きにして、キーストンプレートの平坦な山部又は谷部に安定に据え置く役割を果たし、溶接等によりキーストンプレート上に固定される、方形、円形その他の適宜の形状と大きさを有する当板とを備えていることを特徴とする板状屋根葺材の取付用金具。
【考案の詳細な説明】
【０００１】
【考案の属する技術分野】
本考案は、コンクリート製陸屋根等の屋根基体の上面に葺き重ねる、波板等の板状屋根葺材を、この上面に固定させる為に用いる板状屋根葺材の取付用金具に関する。
【０００２】
【従来の技術】
本願出願人は、コンクリート製陸屋根の上面に設けた防水材層が経年劣化した時に、防水材層の取替工事に伴う、諸経費及び工期等に係わる大きな経済的損失を避ける為に、傷んだ防水材層はそのままにして、その上に、波板等の板状屋根葺材を、強固に取り付けることが出来る工法、及び取付用金具の開発に取り組み、［０００３］項に記した様に、一連の特許出願を行って来た。
【０００３】
【特許文献１】
特願９−３４８０２６：スタッドボルトの植設工法及び取付構造
（特許第３１７２１３４号）
【特許文献２】
特願９−１１３０６：ボルト及びその取付構造
【特許文献３】
特願２０００−２３６８０３：陸屋根等へのチャンネル材の取付金具
【特許文献４】
特願２００１−２４３４８４：陸屋根等への屋根葺材の重層葺工法及びこの工法用のスタッドボルト
【０００４】
【考案が解決しようとする課題】
然しながら、防水材層が傷んでからではなくて、コンクリート製の陸屋根の新設時に、同時に、その上に板状屋根葺材を葺き重ねることによって、防水材層の保護にも役立てられる、新たな工法も考えられる。
【０００５】
そこで、本考案の目的は、コンクリート製の陸屋根等の屋根基体の新設時に、その上に板状屋根葺材を葺き重ねる工法に用いる為の取付用金具を提供するにある。
【０００６】
【課題を解決するための手段】
上記の目的を達成する為の、本考案による板状屋根葺材の取付用金具は、
コンクリート製陸屋根等の屋根基体の上面に葺き重ねる、波板等の板状屋根葺材を、この上面に固定させる為に用いるものであって、
前記屋根基体を貫通させ得る長さを有して、屋根基体に穿ったボルト孔にその下端側から挿通させる螺桿と、
該螺桿の下端に取付けられて、ボルト孔の周縁部に於いて、屋根基体の下面に当接させる為の、方形、円形その他の適宜の形状と大きさを有する当板とを備えることを特徴とする。
そして、螺桿を、ボルト孔に上向きに挿通させ終えた後も、この挿通状態を保たせる為の、抜止手段を付属させたことも特徴とする。
抜止手段は、螺桿の外周面に突設されて、螺桿とボルト孔の内周面との間に摩擦係合力を生じさせる、小突起、縦向き突条、雄ねじ等の突起部であることを特徴とする。
別の抜止手段は、螺桿に緊密に外嵌させる為の、弾性材製で短チューブ状乃至はリング状の弾性環状体から成り、外嵌状態での外径がボルト孔の孔径より幾分大きくなる様にしたことを特徴とする。
更に別の抜止手段として、螺桿の外周面の適宜の箇所に、弾性に富むコーキング材の類を、リング状又は点綴状に塗布した塗布部を設けてもよい。
或いは、抜止手段は、螺桿１の上部に螺合させることにより、当板との間で屋根基体を挟み付けるナットであってもよい。
【０００７】
本考案による板状屋根葺材の取付用金具が、キーストンプレートの上面に所定厚さに打設したコンクリート製の屋根基体の上面に葺き重ねる、波板等の板状屋根葺材を、この上面に固定させる為のものである場合には、この取付用金具は、
板状屋根葺材を貫通させ得る長さの螺桿と、
該螺桿の下端に取付けられて、この螺桿を縦向きにして、キーストンプレートの平坦な山部又は谷部に安定に据え置く役割を果たし、溶接等によりキーストンプレート上に固定される、方形、円形その他の適宜の形状と大きさを有する当板とを備えることを特徴とする。
【０００８】
【考案の実施の形態】
以下に、本考案の第１実施例に就いて、図１〜図４を参照しながら説明する。
図１は、屋根基体としての、コンクリート製の陸屋根Ａの上面に、台形波板から成る板状屋根葺材Ｂを、第１実施例の取付用金具１０１を用いて葺き重ねた状態を示した部分縦断面図である。
Ｈ形鋼製の桁材Ｃによって受支持された陸屋根Ａの上面には、防水材層Ｄを設けている。
【０００９】
図２は、板状屋根葺材Ｂをその上面に直接固定させる為の、角筒状チャンネル材から成る梁材Ｅを、取付用金具１０１及び受け金具Ｆを使って、陸屋根Ａの上面に固定させた状態を、図１の側面方向から見た部分拡大縦断面図である。
尚、図１中のＧは桟木で、所定間隔を隔てて並列状に配設した梁材Ｅと、陸屋根Ａとの間に、直交向きに所定間隔を隔てて介在させている。
図１中のＨは、梁材Ｅ上に取付けたタイトフレーム（支持金具）で、金属帯板を、板状屋根葺材Ｂの波打台形に合わせて折曲して作られている。
【００１０】
図３に斜視図として示した、この実施例の取付用金具１０１は、陸屋根Ａを貫通させ得る長さを有して、図２に示した様に、陸屋根Ａに穿ったボルト孔ａに、その下側から挿通させる螺桿１と、螺桿１の下端に溶接した、金属製で方形の当板２とを備えている。
この実施例では、螺桿１の太さは約１２ミリメートル、当板２は、厚さが約１０ミリメートル、大きさは約１００×１００ミリメートルである。
【００１１】
螺桿１の上部には、雄ねじ１ａを設けている。
又、図２，図３に示した様に、螺桿１を、ボルト孔ａにその下側から挿通し、当板２を陸屋根Ａの下面に当接させた状態を、取付用金具１０１から手を離した後も保たせる為の抜止手段として、螺桿１の下部外周面には、１組の小突起３，３を対向状に突設している。
【００１２】
小突起３の突出寸法は、螺桿１をボルト孔ａに差し込んで行くと、小突起３の突端とボトル孔ａの内周壁との間に摩擦係合力が生じ、且つ、当板２をハンマー等で打撃するだけで、螺桿１をボルト孔ａ内に簡単に完全に押し込める様に、試行錯誤的に決定される。
小突起３の設け方としては、周知の塑性加工法によって、螺桿１の外周面の一部を摘み出す等の方法を採ればよい。
【００１３】
、この実施例の受け金具Ｆは、図４の斜視図に示した形態を備えており、１枚の金属板を裁断・折曲加工して作られる。
その概略の形態は、図２に示した様に、梁材Ｅを上側から嵌め込ませる為の、コ字形樋状に折曲した本体部２１を備えている。
本体部２１の底面２１ａには、螺桿１を挿通させる長孔２２を設け、且つ、１組の板状脚部２３，２３と、側板２４，２４とを夫々対向状に延設している。
【００１４】
次に、取付用金具１０１の使い方に就いて、その一例を、図１，図２を参照しながら説明する。
先ず、陸屋根Ａの全面の、所定間隔を隔てた多数箇所に、螺桿１を挿通させる為のボルト孔ａを穿設する。
【００１５】
然かる後、各ボルト孔ａに、取付用金具１０１の螺桿１の部分を、ボルト孔ａの下側から差し込んで行き、小突起３がボルト孔ａの孔縁部に引っ掛かる状態になったら、当板２をハンマーで打撃する等して、当板２が、陸屋根Ａの下面に当接する迄、螺桿１をボルト孔ａ内に強制的に押し込む。
この状態で、螺桿１とボルト孔ａの内周面との間には、取付用金具１０１の脱落を確実に阻止するに足る摩擦係合力が生じているので、手を離しても、螺桿１が抜け落ちることは無い。
【００１６】
そこで、次に、陸屋根Ａ上の所定位置に梁材Ｅを固定させる作業に掛かる。
それには、図２に示した様に、螺桿１が陸屋根Ａの上面に突出している部分に、座板Ｉと、受け金具Ｆとを順次嵌め込ませる。
そして、螺桿１に螺じ込んだナット４を締付ければ、受け金具Ｆを陸屋根Ａ上に強固に固定させることが出来る。
【００１７】
然かる後、角筒状チャンネル材の形態を備えた梁材Ｅを、スリットを設けた面を下向きにして、取付用金具Ｆの溝形の本体部２１に落とし込む。
そして、梁材Ｅを本体部２１に溶接すれば、梁材Ｅの据置・固定作業は完了する。
【００１８】
陸屋根Ａ上に、所定間隔を隔てて並列状に配設・固定した梁材Ｅの上に、図１に示した様に、板状屋根葺材Ｂを葺き重ねる作業は、周知の工法に従って行えばよいので、その説明は省略する。
【００１９】
次に、図５及び図６に、第２実施例の取付用金具１０２を示した。
この取付用金具１０２が、第１実施例の取付用金具１０１と異なる点は、ボルト孔ａに挿通させた螺桿１が、手を離すと、ボルト孔ａから脱落してしまうのを防ぐ為の抜止手段にある。
【００２０】
即ち、取付用金具１０２では、取付用金具１０１の小突起３は省き、その代わりに、螺桿１に緊密に外嵌させる為の、弾性環状体５を付属させている。
この実施例の弾性環状体５はゴム製で、裁頭円錐形の短チューブ状に形成されており、その内径は、螺桿１の外径より幾分小さくしている。
【００２１】
取付用金具１０２の使い方は、付属の弾性環状体５を、取付用金具１０２を出荷する時点で、又は、使用時に、螺桿１の上端から下端迄の間の適宜の箇所に外嵌させて置く。
そして、この状態の取付用金具１０２を、陸屋根Ａのボルト孔ａに下側から差し込んで行く。
【００２２】
すると、弾性環状体５がボルト孔ａに引っ掛かった時点で、弾性環状体５は、螺桿１に連行されて、図６に示した様に、ボルト孔ａと螺桿１の間の隙間に圧縮されながら強制的に押し込まれる。
これによって、取付用金具１０２は、ボルト孔ａからの脱落を確実に阻止される。
【００２３】
弾性環状体５は、図示の形状に限られず、例えば、断面が楕円形や三角形をしたリング状体等であってもよい。
尚、弾性環状体５が、ボルト孔ａ内のどの位置で落ち着いて止まるかは、弾性環状体５と、螺桿１及びボルト孔ａの内壁面との間に夫々生ずる摩擦係合力の如何によって、自づから変わってくる。
弾性環状体５は、ボトル孔ａの隙間から雨水が流下するのを防ぐ為の、雨仕舞い対策ともなる。
【００２４】
次に、図７に、第３実施例の取付用金具１０３を示した。
この実施例の取付用金具１０３は、第２実施例の弾性環状体５に代えて、螺桿１の外周面の適宜に位置に、弾性に富むコーキング材の類を、リング状又は点綴状に塗布した、弾性材塗布部６を設けたところに特徴がある。
【００２５】
次に、図８に、第４実施例の取付用金具１０４を示した。
この実施例の取付用金具１０４は、螺桿１がボルト孔ａから脱落するのを防ぐ抜止手段として、取付用金具１０１の小突起３に代えて、螺桿１の下端部に、雄ねじ７を設けている。
【００２６】
この雄ねじ７の外径は、ボルト孔ａの孔径より幾分大きくしている。
これによって、螺桿１をボトル孔ａ内に押し込んで行くと、その終局段階で、雄ねじ７の部分がボルト孔ａ内に強制的に押し込まれて、取付用金具１０４とボルト孔ａの内壁面との間に摩擦係合力が生じる。
或いは、上記の終局段階では、当板２を回転させて、雄ねじ７の部分を螺じ込む様にしてもよい。
【００２７】
ボトル孔ａ内に一旦差し込んだ螺桿１が、この孔から抜け落ちるのを防ぐ為の、更に別の抜止手段として、図示は省いたが、螺桿１をボルト孔ａに挿通させた状態で、その上部に設けた雄ねじ１ａに、螺桿１の抜止用の止ナットを螺じ込んでも、勿論よい。
【００２８】
次に、図９は、取付用金具１０１を使って、陸屋根Ａ上に板状屋根葺材Ｂを葺き重ねる方法の、別の実施例を示した。
この実施例の陸屋根Ａは、図示の様に、キーストンプレートＫの上に、コンクリート層を打設する工法によって構築されている。
【００２９】
そこで、コンクリート製陸屋根Ａを構築し終えてから、わざわざ、多数のボルト孔ａを穿つという非能率な作業を避ける方法を採っている。
即ち、キーストンプレートＫの上にコンクリート層を打設するに先立って、図９に示した様に、台形波板状のキーストンプレートＫの平坦な波頭部分、又は波底部分の所定位置に、取付用金具１０１の当板２を据え置たうえ、当板２を、溶接又は接着手段によって、キーストンプレートＫに固定させる方法を採っている。
【００３０】
キーストンプレートＫ上の所定の多数箇所の夫々に、上記の方法で取付用金具１０１を固定し終えたら、その上に、所定の厚さのコンクリート層を打設し、更に、防水材層Ｄを設ける。
以後の作業は、上記実施例と同様なので、その説明は省略する。
【００３１】
【考案の効果】
以上の説明によって明らかな様に、本考案による板状屋根葺材の取付用金具を使えば、以下に列挙した如き実用上の優れた諸効果が得られる。
（ａ）螺桿の下端に取付けた、適宜の形状と大きさの当板が、螺桿に螺着したナットによる強大な締結力を、確実に受け止めてくれる。
（ｂ）螺桿をボルト孔に上向きに挿通させ終えた後、取付用金具から手を離しても、付設（付属）の抜止手段によって、取付用金具の脱落が確実に防がれる。
（ｃ）その為、以後の、板状屋根葺材の葺き作業を、手間取らずに、容易・迅速に行うことが出来る。
（ｄ）屋根基体を、キーストンプレートの上面にコンクリート層を打設する方法で形成させる場合には、コンクリートの打設に先立って、キーストンプレートの平坦な山部又は谷部に取付用金具の台板を安定に据え置けるので、キーストンプレートの上に取付用金を溶接・固定する作業を、容易・迅速に行える。
（ｅ）従って、既設のコンクリート製陸屋根の、多数箇所にボルト孔を穿つという、面倒で手間の掛かる作業を省ける。
（ｆ）陸屋根の新設時に、同時に葺き重ねた板状屋根葺材は、コンクリート層の上に設けた防水材層の経年劣化防止にも役立つ。
【図面の簡単な説明】
【図１】本考案の１実施例を示すもので、本考案による第１実施例の取付用金具を用いて、コンクリート製の陸屋根の上に板状屋根葺材を葺き重ねた状態を示す部分縦断面図である。
【図２】同上、図１を側方視した、要部の拡大縦断面図である。
【図３】同上、取付用金具の斜視図である。
【図４】同上、固定金具の斜視図である。
【図５】本考案による、第２実施例の取付用金具の分解斜視図である。
【図６】同上、第２実施例の取付用金具の機能を説明した部分縦断面図である。
【図７】本考案による、第３実施例の取付用金具の部分斜視図である。
【図８】本考案による、第４実施例の取付用金具の斜視図である。
【図９】キーストンプレート上に、コンクリート層を打設する場合に、この打設に先立って、取付用金具を、キーストンプレート上に直接、溶接・固定する工法を説明した部分縦断面図である。
【符号の説明】
１０１〜１０４　取付用金具
Ａ　陸屋根（屋根基体）
Ｂ　板状屋根葺材
Ｃ　桁材
Ｄ　防水材層
Ｅ　梁材
Ｆ　受け金具
Ｇ　桟木
Ｈ　タイトフレーム
Ｉ　座板
Ｋ　キーストンプレート
ａ　ボルト孔
１　螺桿
１ａ　雄ねじ
２　当板
３　小突起（抜止手段）
４　ナット
５　弾性環状体（抜止手段）
６　弾性材塗布部（抜止手段）
７　雄ねじ（抜止手段）
２１　本体部
２１ａ　底面
２２　長孔
２３　板状脚部
２４　側板
【図１】
0003097691.tif 000003
【図２】
0003097691.tif 000004
【図３】
0003097691.tif 000005
【図４】
0003097691.tif 000006
【図５】
0003097691.tif 000007
【図６】
0003097691.tif 000008
【図７】
0003097691.tif 000009
【図８】
0003097691.tif 000010
【図９】
0003097691.tif 000011